(57)【要約】【課題】装置の構造が複雑になることを防止しながら、調湿運転と調温運転を行う。【解決手段】冷却加熱ユニットは、表面に空気中の水分の吸着と脱離が可能な吸着層（23）が設けられ、引張力の付与により発熱し且つ引張力の解除により吸熱する第１熱歪部材（21a）と、該吸着層が設けられていない第２熱歪部材（21b）と、第１及び第２熱歪部材（21a，21b）に引張力を付与するアクチュエータ（22）とを有する冷却加熱モジュールと、調湿運転時に、第１及び第２熱歪部材（21a，21b）のうち該第１熱歪部材（21a）のみに対して引張力の付与と解除を切り換える一方、調温運転時に、第２熱歪部材（21b）のみに対して引張力の付与と解除を切り換える切換制御部（35）とを備えている。【選択図】図２
2014178092.tif 000002
【特許請求の範囲】
【請求項１】
水分の吸着と脱離を行って空気の調湿運転を行うと共に、空気の冷却と加熱を行って空気の調温運転を行う冷却加熱ユニットであって、
表面に空気中の水分の吸着と脱離が可能な吸着層（23）が設けられ、応力の付与により発熱し且つ応力の解除により吸熱する第１熱歪部材（21a）と、該吸着層が設けられていない第２熱歪部材（21b）と、上記第１及び第２熱歪部材（21a，21b）に応力を付与するアクチュエータ（22）とを有する冷却加熱モジュール（20）と、
調湿運転時に、上記第１及び第２熱歪部材（21a，21b）のうち該第１熱歪部材（21a）のみに対して応力の付与と解除を切り換える一方、調温運転時に、上記第２熱歪部材（21b）のみに対して応力の付与と解除を切り換える切換制御部（35）とを備えていることを特徴とする冷却加熱ユニット。
【請求項２】
請求項１において、
単数の第１熱歪部材（21a）又は空気の流れ方向と直交する方向に並ぶ複数の第１熱歪部材（21a）からなる第１熱歪部材部（L1）と、単数の第２熱歪部材（21b）又は空気の流れ方向と直交する方向に並ぶ複数の第２熱歪部材（21b）からなる第２熱歪部材部（L2）とが、空気の流れ方向に交互に配置されていることを特徴とする冷却加熱ユニット。
【請求項３】
請求項１又は２に記載の冷却加熱ユニットと、
上記冷却加熱モジュール（20）を通過した空気を室内（3）へ供給する空気通路（P）とを備えていることを特徴とする空気調和装置。
【発明の詳細な説明】
【技術分野】
【０００１】
本発明は、水分の吸着と脱離を行って空気の調湿運転を行うと共に、空気の冷却と加熱を行って空気の調温運転を行う冷却加熱ユニット及びこれを備えた空気調和装置に関するものである。
【背景技術】
【０００２】
従来より、張力の付与により発熱して張力の解除により吸熱する熱歪材料が知られている。特許文献１には、この種の熱歪材料としてニッケルチタン合金等が開示されている。特許文献１の段落００２０には、熱歪材料からなるワイヤーに張力を付与するとワイヤーが発熱し、ワイヤーの放熱後に張力を解除するとワイヤーが吸熱することが記載されている。また、この特許文献１には、熱歪材料からなる部材を利用した冷却システムが開示されている。
【先行技術文献】
【特許文献】
【０００３】
【特許文献１】特開２０１２−２２０１８４号公報
【発明の概要】
【発明が解決しようとする課題】
【０００４】
ところで、表面に吸着層を設けた熱歪部材を用いた調湿モジュールと、吸着層を設けない熱歪部材を用いた冷却加熱モジュールとを備える装置を室内に設置することが考えられる。これによれば、調湿モジュールを通過した空気を室内に供給することで調湿運転を、冷却加熱モジュールを通過した空気を室内に供給することで調温運転を行うことができる。
【０００５】
しかしながら、上述した装置においては、モジュールが２つ必要になり、装置の構造が複雑になる。
【０００６】
本発明は、かかる点に鑑みてなされたものであり、その目的は、装置の構造が複雑になることを防止しながら、調湿運転と調温運転を行うことにある。                      
【課題を解決するための手段】
【０００７】
第１の発明は、水分の吸着と脱離を行って空気の調湿運転を行うと共に、空気の冷却と加熱を行って空気の調温運転を行う冷却加熱ユニットであって、表面に空気中の水分の吸着と脱離が可能な吸着層（23）が設けられ、応力の付与により発熱し且つ応力の解除により吸熱する第１熱歪部材（21a）と、該吸着層が設けられていない第２熱歪部材（21b）と、上記第１及び第２熱歪部材（21a，21b）に応力を付与するアクチュエータ（22）とを有する冷却加熱モジュール（20）と、調湿運転時に、上記第１及び第２熱歪部材（21a，21b）のうち該第１熱歪部材（21a）のみに対して応力の付与と解除を切り換える一方、調温運転時に、上記第２熱歪部材（21b）のみに対して応力の付与と解除を切り換える切換制御部（35）とを備えていることを特徴とするものである。
【０００８】
第１の発明では、冷却加熱モジュール（20）が、表面に空気中の水分の吸着と脱離が可能な吸着層（23）が設けられた第１熱歪部材（21a）と、該吸着層が設けられていない第２熱歪部材（21b）と、第１及び第２熱歪部材（21a，21b）に応力を付与するアクチュエータ（22）とを有している。
【０００９】
そして、切換制御部（35）は、調湿運転時に、冷却加熱モジュール（20）の第１及び第２熱歪部材（21a，21b）のうち第１熱歪部材（21a）のみに対して応力の付与と解除を切り換える一方、調温運転時に、第２熱歪部材（21b）のみに対して応力の付与と解除を切り換える。
【００１０】
ここに、アクチュエータ（22）が第１熱歪部材（21a）に応力を付与すると、第１熱歪部材（21a）を構成する熱歪材料が母相（オーステナイト相）からマルテンサイト相へと相変化することで、エントロピーが減少し、その分、分子運動エネルギーが増加し、第１熱歪部材（21a）が発熱する。このとき、第１熱歪部材（21a）は、吸着層（23）に対して放熱する。したがって、吸着層（23）に含まれている水分が脱離する。また、第１熱歪部材（21a）への応力の付与を解除すると、マルテンサイト相から母相（オーステナイト相）に変化し、該第１熱歪部材（21a）が断熱されていた場合、エントロピーを大きくするために分子運動からエネルギーを奪うことで第１熱歪部材（21a）の温度が下がる。このとき、第１熱歪部材（21a）は、吸着層（23）から吸熱する。したがって、吸着層（23）に水分が効率よく吸着される。
【００１１】
一方、アクチュエータ（22）が第２熱歪部材（21b）に応力を付与すると、第２熱歪部材（21b）を構成する熱歪材料が母相（オーステナイト相）からマルテンサイト相へと相変化することで、エントロピーが減少し、その分、第２熱歪部材（21b）が発熱するので、空気に熱が与えられる。また、第２熱歪部材（21b）への応力の付与を解除すると、マルテンサイト相から母相に変化し、該第２熱歪部材（21b）が断熱されていた場合、第２熱歪部材（21b）の温度が下がるため、周囲の空気が冷却される。
【００１２】
第２の発明は、上記第１の発明において、単数の第１熱歪部材（21a）又は空気の流れ方向と直交する方向に並ぶ複数の第１熱歪部材（21a）からなる第１熱歪部材部（L1）と、単数の第２熱歪部材（21b）又は空気の流れ方向と直交する方向に並ぶ複数の第２熱歪部材（21b）からなる第２熱歪部材部（L2）とが、空気の流れ方向に交互に配置されていることを特徴とするものである。
【００１３】
第２の発明では、単数の第１熱歪部材（21a）又は空気の流れ方向と直交する方向に並ぶ複数の第１熱歪部材（21a）からなる第１熱歪部材部（L1）と、単数の第２熱歪部材（21b）又は空気の流れ方向と直交する方向に並ぶ複数の第２熱歪部材（21b）からなる第２熱歪部材部（L2）とは、空気の流れ方向に交互に配置されている。
【００１４】
第３の発明は、第１又は２の発明に係る冷却加熱ユニットと、上記冷却加熱モジュール（20）を通過した空気を室内（3）へ供給する空気通路（P）とを備えていることを特徴とする空気調和装置である。
【００１５】
第３の発明では、空気通路（P）は、冷却加熱モジュール（20）を通過した空気を室内（3）へ供給するため、除加湿運転と冷暖房運転を行うことができる。
【発明の効果】
【００１６】
本発明によれば、切換制御部（35）が、調湿運転時に、冷却加熱モジュール（20）の第１及び第２熱歪部材（21a，21b）のうち第１熱歪部材（21a）のみに対して応力の付与と解除を切り換える一方、調温運転時に、第２熱歪部材（21b）のみに対して応力の付与と解除を切り換える。
【００１７】
ここに、アクチュエータ（22）が第１熱歪部材（21a）に応力を付与すると、第１熱歪部材（21a）が発熱する。このとき、第１熱歪部材（21a）は、吸着層（23）に対して放熱する。したがって、吸着層（23）に含まれている水分が脱離する。また、第１熱歪部材（21a）への応力の付与を解除すると、該第１熱歪部材（21a）が断熱されていた場合、第１熱歪部材（21a）の温度が下がる。このとき、第１熱歪部材（21a）は、吸着層（23）から吸熱する。したがって、吸着層（23）に水分が効率よく吸着される。
【００１８】
一方、アクチュエータ（22）が第２熱歪部材（21b）に応力を付与すると、第２熱歪部材（21b）が発熱するので、空気に熱が与えられる。また、第２熱歪部材（21b）への応力の付与を解除すると、該第２熱歪部材（21b）が断熱されていた場合、第２熱歪部材（21b）の温度が下がるため、周囲の空気が冷却される。
【００１９】
以上により、単一のモジュール（20）で、調湿運転と調温運転を行うことができる。したがって、装置の構造が複雑になることを防止しながら、調湿運転と調温運転を行うことができる。
【００２０】
また、上記第２の発明によれば、単数の第１熱歪部材（21a）又は空気の流れ方向と直交する方向に並ぶ複数の第１熱歪部材（21a）からなる第１熱歪部材部（L1）と、単数の第２熱歪部材（21b）又は空気の流れ方向と直交する方向に並ぶ複数の第２熱歪部材（21b）からなる第２熱歪部材部（L2）とは、空気の流れ方向に交互に配置されているため、空気をその流れ方向のどちらから流しても、モジュール（20）全体での湿度変化や温度変化を均一にすることができる。
【００２１】
また、上記第３の発明によれば、空気通路（P）は、冷却加熱モジュール（20）を通過した空気を室内（3）へ供給するため、除加湿運転と冷暖房運転を行うことができる。
【図面の簡単な説明】
【００２２】
【図１】図１は、本発明の実施形態１及び実施形態４に係る空気調和装置を室内に設置した状態を示す概略図であり、図１（Ａ）が吸湿動作の運転状態を示し、図１（Ｂ）が放湿動作及び加熱動作の運転状態を示し、図１（Ｃ）が冷却動作の運転状態を示している。
【図２】図２（Ａ）は、図１の空気調和装置に用いられる冷却加熱モジュールの概略正面図であり、図２（Ｂ）は冷却加熱モジュールの概略平面図である。
【図３】図３は、熱歪部材におけるＴ−Ｓ線図を示すものである。
【図４】図４（Ａ）は冷却加熱モジュールの概略正面図において放湿動作の状態を示す図であり、図４（Ｂ）は冷却加熱モジュールの概略正面図において吸湿動作の状態を示す図である。
【図５】図５（Ａ）は冷却加熱モジュールの概略正面図において加熱動作の状態を示す図であり、図５（Ｂ）は冷却加熱モジュールの概略正面図において冷却動作の状態を示す図である。
【図６】図６は、実施形態１の変形例１及び実施形態４の変形例１に係る空気調和装置を室内に設置した状態を示す概略図であり、図６（Ａ）は除湿運転の第１運転状態、図６（Ｂ）は除湿運転の第２運転状態、図６（Ｃ）は冷房運転の第１運転状態、図６（Ｄ）は冷房運転の第２運転状態を示している。
【図７】図７は、実施形態１の変形例２及び実施形態４の変形例２に係る空気調和装置を室内に設置した状態を示す概略図であり、図７（Ａ）は除湿運転の第１運転状態、図７（Ｂ）は除湿運転の第２運転状態、図７（Ｃ）は冷房運転の第１運転状態、図７（Ｄ）は冷房運転の第２運転状態を示している。
【図８】図８は、実施形態１の変形例３及び実施形態４の変形例３に係る空気調和装置を設置した状態を示す概略図である。
【図９】図９は、図８の空気調和装置の除湿運転の第１運転動作を示す図であり、図９（Ａ）は平面構造図、図９（Ｂ）は左側面構造図、図９（Ｃ）は右側面構造図である。
【図１０】図１０は、図８の空気調和装置の除湿運転の第２運転動作を示す図であり、図１０（Ａ）は平面構造図、図１０（Ｂ）は左側面構造図、図１０（Ｃ）は右側面構造図である。
【図１１】図１１は、図８の空気調和装置の冷房運転の第１運転動作を示す図であり、図１１（Ａ）は平面構造図、図１１（Ｂ）は左側面構造図、図１１（Ｃ）は右側面構造図である。
【図１２】図１２は、図８の空気調和装置の冷房運転の第２運転動作を示す図であり、図１２（Ａ）は平面構造図、図１２（Ｂ）は左側面構造図、図１２（Ｃ）は右側面構造図である。
【図１３】図１３は、実施形態２及び実施形態４に係る空気調和装置を室内に設置した状態を示す概略図であり、図１３（Ａ）が放湿動作の運転状態を示し、図１３（Ｂ）が吸湿動作及び冷却動作の運転状態を示し、図１３（Ｃ）が加熱動作の運転状態を示している。
【図１４】図１４は、実施形態２の変形例１及び実施形態４の変形例１に係る空気調和装置を室内に設置した状態を示す概略図であり、図１４（Ａ）は加湿運転の第１運転状態、図１４（Ｂ）は加湿運転の第２運転状態、図１４（Ｃ）は暖房運転の第１運転状態、図１４（Ｄ）は暖房運転の第２運転状態を示している。
【図１５】図１５は、実施形態２の変形例２及び実施形態４の変形例２に係る空気調和装置を室内に設置した状態を示す概略図であり、図１５（Ａ）は加湿運転の第１運転状態、図１５（Ｂ）は加湿運転の第２運転状態、図１５（Ｃ）は暖房運転の第１運転状態、図１５（Ｄ）は暖房運転の第２運転状態を示している。
【図１６】図１６は、実施形態２の変形例３及び実施形態４の変形例３に係る空気調和装置を設置した状態を示す概略図である。
【図１７】図１７は、図１６の空気調和装置の加湿運転の第１運転動作を示す図であり、図１７（Ａ）は平面構造図、図１７（Ｂ）は左側面構造図、図１７（Ｃ）は右側面構造図である。
【図１８】図１８は、図１６の空気調和装置の加湿運転の第２運転動作を示す図であり、図１８（Ａ）は平面構造図、図１８（Ｂ）は左側面構造図、図１８（Ｃ）は右側面構造図である。
【図１９】図１９は、図１６の空気調和装置の暖房運転の第１運転動作を示す図であり、図１９（Ａ）は平面構造図、図１９（Ｂ）は左側面構造図、図１９（Ｃ）は右側面構造図である。
【図２０】図２０は、図１６の空気調和装置の暖房運転の第２運転動作を示す図であり、図２０（Ａ）は平面構造図、図２０（Ｂ）は左側面構造図、図２０（Ｃ）は右側面構造図である。
【図２１】図２１は、その他の形態に係るアクチュエータの構成を示す図である。
【図２２】図２２は、その他の形態に係るアクチュエータの構成を示す図である。
【図２３】図２３は、その他の形態に係るアクチュエータの構成を示す図である。
【図２４】図２４は、その他の形態に係るアクチュエータの構成を示す図である。
【発明を実施するための形態】
【００２３】
以下、本発明の実施形態を図面に基づいて詳細に説明する。
【００２４】
《発明の実施形態１》
本発明の実施形態１について説明する。
【００２５】
−装置の全体構成−
図１は、実施形態１に係る空気調和装置（1）を建物（2）の室内（空調対象空間）（3）に設置した状態を示す概略図であり、図１（Ａ）が吸湿動作の運転状態を示し、図１（Ｂ）が放湿動作及び加熱動作（放熱動作）の運転状態を示し、図１（Ｃ）が冷却動作（吸熱動作）の運転状態を示している。実施形態１の空気調和装置（1）は、除湿冷房専用機として構成されている。
【００２６】
この空気調和装置（1）は、ケーシング（10）と、ケーシング（10）内に収納された冷却加熱モジュール（20）と、冷却加熱モジュール（20）に空気を流すファン（30）と、冷却加熱モジュール（20）に付与する引張力を調節する切換制御部（35）とを備えている。冷却加熱モジュール（20）と切換制御部（35）とにより冷却加熱ユニット（5）が構成されている。また、ケーシング（10）とその内部に設けられた機能部品により室内ユニット（U）が構成されている。
【００２７】
ケーシング（10）内には、該ケーシング（10）内に導入された空気を冷却加熱モジュール（20）に通すための空気通路（P）が形成されている。具体的には、室内（3）からケーシング（10）内に吸い込まれた空気は空気通路（P）を通る際に冷却加熱モジュール（20）で吸湿処理又は冷却処理されて室内（3）に戻される。また、この空気調和装置（1）は、後述するように間欠的に室内（3）を除湿又は冷却するように構成されており、室内（3）の除湿又は冷却を休止しているときには、室外からケーシング（10）内に吸い込まれた空気が空気通路（P）を通る際に冷却加熱モジュール（20）から熱を奪って再び室外に放出される。
【００２８】
以上の空気流れを実現するために、この空気調和装置（1）は、室内（3）からの吸込空気、室内（3）への吹出空気、室外からの吸込空気、及び室外への吹出空気が混合しないように、図示していない仕切板やダンパ等でケーシング（10）内が区画されている。
【００２９】
−冷却加熱モジュール−
冷却加熱モジュール（20）は、概略の構成を図２（Ａ），（Ｂ）に示すように、第１熱歪部材（21a）と、第２熱歪部材（21b）と、該第１及び第２熱歪部材（21a，21b）に引張力を付与するアクチュエータ（22）とを備えている。尚、この各熱歪部材（21a，21b）に付与される引張力は、本発明に係る応力を構成している。第１熱歪部材（21a）の表面には、空気中の水分の吸着と脱離が可能な吸着剤からなる吸着層（23）が設けられている。第２熱歪部材（21b）には、吸着層（23）が設けられてない。
【００３０】
上記各熱歪部材（21a，21b）は、応力（例えば引張力や圧縮力）をかけることで対象物を加熱する一方、応力を解除することで対象物を冷却するものである。具体的には、図３に示すように、熱歪部材（21a，21b）に応力をかけると、母相（オーステナイト相）からマルテンサイト相へと相変化することで、エントロピーが減少し、その分、発熱して熱歪部材（21a，21b）自身が加熱される（IからII）。熱歪部材（21a，21b）に応力をかけたまま、該熱歪部材（21a，21b）を加熱対象物に接触させると、熱歪部材（21a，21b）の熱が加熱対象物に伝わる（IIからIII）。こうすることで、熱歪部材（21a，21b）の温度は下がる。そして、熱歪部材（21a，21b）にかけられている応力を除去（解除）すると、マルテンサイト相から母相（オーステナイト相）に変化する（IIIからIV）。このとき、熱歪部材（21a，21b）が断熱されていると、熱歪部材（21a，21b）の温度が下がる。温度が下がった熱歪部材に冷却対象物を接触させると、該冷却対象物の熱が熱歪部材（21a，21b）に伝わる（IVからI）。
【００３１】
したがって、図４（Ａ）に示すように、第１熱歪部材（21a）に引張力を付与すると、第１熱歪部材（21a）が発熱し、吸着層（23）が加熱される。吸着層（23）が加熱されると、吸着層（23）に吸着されていた水分が空気中に放出される（放湿動作）。したがって、冷却加熱モジュール（20）を通過した後の空気中の水分は通過前より多くなる。逆に図４（Ｂ）に示すように第１熱歪部材（21a）への引張力を解除すると、第１熱歪部材（21a）が吸熱し、吸着層（23）が冷却される。吸着層（23）が冷却されると、空気中の水分が吸着層（23）に吸着される（吸湿動作）。したがって、冷却加熱モジュール（20）を通過した後の空気中の水分は通過前より少なくなる。この空気調和装置（1）では、放湿動作と吸湿動作が交互に行われ、吸湿動作を用いた除湿運転が間欠的に行われる。
【００３２】
なお、第１熱歪部材（21a）は、冷却加熱中には動作開始から能力のピークを越えると能力が低下する。そのため、吸湿動作と放湿動作が交互に切り換えられる。
【００３３】
また、図５（Ａ）に示すように、第２熱歪部材（21b）に引張力を付与すると、第２熱歪部材（21b）が発熱する。冷却加熱モジュール（20）を通過した空気は温度が上昇する。逆に図５（Ｂ）に示すように第２熱歪部材（21b）への引張力を解除すると、第２熱歪部材（21b）が吸熱する。冷却加熱モジュール（20）を通過した空気は温度が低下する。この空気調和装置（1）では、第２熱歪部材（21b）の加熱動作と冷却動作が交互に行われ、冷却動作を用いた冷房運転が間欠的に行われる。
【００３４】
なお、第２熱歪部材（21b）は、冷却加熱中には動作開始から能力のピークを越えると能力が低下する。そのため、冷却動作と加熱動作が交互に切り換えられる。
【００３５】
各熱歪部材（21a，21b）の具体例として、チタン（Ｔｉ）／ニッケル（Ｎｉ）系の合金（例えば形状記憶合金）やエラストマ樹脂を挙げることができる。
【００３６】
各熱歪部材（21a，21b）は、例えば、上下に延びるワイヤー状又は棒状に形成されている。各熱歪部材（21a，21b）は、同じ太さである。第１熱歪部材（21a）は、図２（Ｂ）に示すように、空気の流れ方向と直交する方向に列状に複数並んでいる。この並列された複数の第１熱歪部材（21a）が第１熱歪部材部としての第１熱歪部材群（L1）を構成している。また、第２熱歪部材（21b）も、空気の流れ方向と直交する方向に列状に複数並んでいる。この並列された複数の第２熱歪部材（21b）が第２熱歪部材部としての第２熱歪部材群（L2）を構成している。そして、第１熱歪部材群（L1）と第２熱歪部材群（L2）は、空気の流れ方向に交互に配置されている。
【００３７】
なお、この実施形態では、第１熱歪部材群（L1）と第２熱歪部材群（L2）を同数の熱歪部材（21a，21b）で構成し、空気の流れ方向に第１熱歪部材群（L1）と第２熱歪部材群（L2）を直列に同数配置している。
【００３８】
また、第１熱歪部材（21a）と第２熱歪部材（21b）は、千鳥状に配置されている。これによれば、空気が熱歪部材（21a，21b）に接触することを他の熱歪部材（21a，21b）によって妨げられるのを抑制できる。
【００３９】
上記アクチュエータ（22）は、熱歪部材（21a，21b）に引張力を付与するためのものである。アクチュエータ（22）は、切換制御部（35）に接続され、該切換制御部（35）によって熱歪部材（21a，21b）への引張力の付与と解除とが制御される。具体的には、アクチュエータ（22）は、第１及び第２熱歪部材群（L1，L2）毎に設けられ、切換制御部（35）によって第１及び第２熱歪部材群（L1，L2）毎に引張力の付与と解除とが制御される。
【００４０】
−引張力付与動作−
上記切換制御部（35）は、各アクチュエータ（22）を制御して、各熱歪部材（21a，21b）への引張力の付与と解除を制御するものである。具体的には、切換制御部（35）は、除湿運転時には、第１及び第２熱歪部材（21a，21b）のうち第１熱歪部材（21a）のみに対して引張力の付与と解除を切り換える一方、冷房運転時には、第２熱歪部材（21b）のみに対して引張力の付与と解除を切り換える。
【００４１】
切換制御部（35）は、アクチュエータ（22）における熱歪部材（21a，21b）に付与する引張力の大きさを変化させることにより該熱歪部材（21a，21b）の発熱量を調整し、吸放湿能力や冷却加熱能力を調整するようにしてもよい。
【００４２】
また、切換制御部（35）は、各熱歪部材（21a，21b）の全体のうち、引張力を付与する熱歪部材（21a，21b）の割合を変化させることにより該熱歪部材（21a，21b）の発熱力を調整し、吸放湿能力や冷却加熱能力を調整するようにしてもよい。
【００４３】
さらに、切換制御部（35）は、上記吸湿動作と放湿動作を繰り返す時間間隔や上記冷却動作と加熱動作を繰り返す時間間隔を変化させることにより上記熱歪部材（21a，21b）の発熱量を調整し、吸放湿能力や冷却加熱能力を調整するように構成してもよい。
【００４４】
−運転動作−
この空気調和装置（1）では除湿運転又は冷房運転が行われる。
【００４５】
具体的には、図１（Ａ）及び図４（Ｂ）の除湿運転の吸湿動作においては、それまで加熱されていた冷却加熱モジュール（20）の第１熱歪部材（20）への引張力が解除される。そうすると、冷却加熱モジュール（20）が空気（室内空気（RA））から吸熱し、図２、図４の吸着層（23）が冷却される。吸着層（23）は、それまで加熱されていたことにより、既に水分を放出している。したがって、図１（Ａ）に示すように、室内（3）へ向かって空気が流れると、その空気から水分が吸着される。そして、水分が吸着されて減湿された空気（供給空気（SA））が室内（3）へ供給される。また、このとき、冷却加熱モジュール（20）が冷却されるため、吸着熱による吸着層（23）の発熱が抑えられる。したがって、吸着性能が低下せずに吸湿動作が行われる。
【００４６】
次に、図１（Ｂ）及び図４（Ａ）の放湿動作時は、ファン（30）の回転方向が切り換えられ、室外空気（OA）がケーシング（10）に取り込まれる。このとき、冷却加熱モジュール（20）の第１熱歪部材（21a）に引張力が付与される。そうすると、冷却加熱モジュール（20）の第１熱歪部材（21a）が放熱し、吸着層（23）が加熱される。吸着層（23）が加熱されると、吸着層（23）に含まれていた水分が室外へ流れる空気に放出される。したがって、この放湿動作のときには、冷却加熱モジュール（20）の吸着層（23）が再生され、水分は空気（排出空気（EA））とともに室外に排出される。
【００４７】
本実施形態では、図１（Ａ）の吸湿動作と図１（Ｂ）の放湿動作を繰り返し行うことにより、除湿運転が間欠的に行われる。
【００４８】
一方、図１（Ｃ）及び図５（Ｂ）の冷房運転の冷却動作においては、それまで加熱されていた冷却加熱モジュール（20）の第２熱歪部材（20）への引張力が解除される。そうすると、図２，図５の第２熱歪部材（21b）が冷却され、冷却加熱モジュール（20）が空気（室内空気（RA））から吸熱する。したがって、図１（Ｃ）に示すように、ケーシング（10）内に導入された室内空気（RA）が冷却され、その空気が供給空気（SA）として室内（3）に戻されて室内（3）が冷房される。
【００４９】
次に、図１（Ｂ）及び図５（Ａ）の加熱動作時は、ファン（30）の回転方向が切り換えられ、室外空気（OA）がケーシング（10）に取り込まれるとともに冷却加熱モジュール（20）で処理されてから排出空気（EA）として室外へ放出される。このとき、冷却加熱モジュール（20）の第２熱歪部材（21b）に引張力が付与される。そうすると、第２熱歪部材（21b）が加熱され、冷却加熱モジュール（20）が放熱する。したがって、この加熱動作のときには、冷却加熱モジュール（20）を通って加熱された空気が室外に排出される。
【００５０】
本実施形態では、図１（Ｃ）の冷却動作と図１（Ｂ）の加熱動作を繰り返し行うことにより、冷房運転が間欠的に行われる。
【００５１】
−実施形態１の効果−
実施形態１によれば、切換制御部（35）が、除湿運転時に、冷却加熱モジュール（20）の第１及び第２熱歪部材（21a，21b）のうち第１熱歪部材（21a）のみに対して引張力の付与と解除を切り換える一方、冷房運転時に、第２熱歪部材（21b）のみに対して引張力の付与と解除を切り換える。
【００５２】
ここに、アクチュエータ（22）が第１熱歪部材（21a）に引張力を付与すると、第１熱歪部材（21a）を構成する熱歪材料が母相（オーステナイト相）からマルテンサイト相へと相変化することで、エントロピーが減少し、その分、分子運動エネルギーが増加し、第１熱歪部材（21a）が発熱する。このとき、第１熱歪部材（21a）は、吸着層（23）に対して放熱する。したがって、吸着層（23）に含まれている水分が脱離する。また、第１熱歪部材（21a）への引張力の付与を解除すると、マルテンサイト相から母相に変化し、該第１熱歪部材（21a）が断熱されていた場合、エントロピーを大きくするために分子運動からエネルギーを奪うことで第１熱歪部材（21a）の温度が下がる。このとき、第１熱歪部材（21a）は、吸着層（23）から吸熱する。したがって、吸着層（23）に水分が効率よく吸着される。
【００５３】
一方、アクチュエータ（22）が第２熱歪部材（21b）に引張力を付与すると、第２熱歪部材（21b）を構成する熱歪材料が母相（オーステナイト相）からマルテンサイト相へと相変化することで、エントロピーが減少し、その分、第２熱歪部材（21b）が発熱するので、空気に熱が与えられる。また、第２熱歪部材（21b）への張力の付与を解除すると、マルテンサイト相から母相に変化し、該第２熱歪部材（21b）が断熱されていた場合、第２熱歪部材（21b）の温度が下がるため、周囲の空気が冷却される。
【００５４】
以上により、単一のモジュール（20）で、除湿運転と冷房運転を行うことができる。したがって、装置の構造が複雑になることを防止しながら、除湿運転と冷房運転を行うことができる。
【００５５】
また、空気の流れ方向と直交する方向に並ぶ複数の第１熱歪部材（21a）からなる第１熱歪部材群（L1）と、空気の流れ方向と直交する方向に並ぶ複数の第２熱歪部材（21b）からなる第２熱歪部材群（L2）とは、空気の流れ方向に交互に配置されているため、空気をその流れ方向のどちらから流しても、モジュール（20）全体での湿度変化や温度変化を均一にすることができる。
【００５６】
また、空気通路（P）は、冷却加熱モジュール（20）を通過した空気を室内（3）へ供給するため、除湿運転と冷房運転を行うことができる。
【００５７】
−実施形態１の変形例−
（変形例１）
図６に示す変形例１は、２つの室内ユニット（U1，U2）を空調対象の室内（3）に設置するように構成したものである。図では、部屋の対向する壁面の一方（図の右側の壁面）に第１室内ユニット（U1）が設置され、壁面の他方（図の左側の壁面）に第２室内ユニット（U2）が設置されている。各室内ユニット（U1，U2）の構成は図１の空気調和装置（1）の室内ユニット（U）と同じであるため、各室内ユニット（U1，U2）の構成については説明を省略する。なお、室内ユニット（U1，U2）には、それぞれ空気通路（P1，P2）が形成されている。
【００５８】
図６（Ａ）は、第１室内ユニット（U1）で除湿運転の吸湿動作を行い、第２室内ユニット（U2）で放湿動作を行う状態を示している。第１室内ユニット（U1）では、冷却加熱モジュール（20）の第１熱歪部材（21a）への引張力が解除される。したがって、第１室内ユニット（U1）の冷却加熱モジュール（20）が吸熱し、ケーシング（10）に取り込まれた室内空気（RA）中の水分が吸着される。そして、水分が吸着されて減湿された空気が供給空気（SA）として室内（3）へ供給される。
【００５９】
一方、第２室内ユニット（U2）では、室外空気（OA）をケーシング（10）に取り入れて処理した後に排出する方向へファン（30）が回転し、同時に冷却加熱モジュール（20）の第１熱歪部材（21a）に引張力が付与される。したがって、吸着層（23）に含まれている水分が空気に与えられて、排出空気（EA）として室外へ放出され、冷却加熱モジュール（20）の吸着層（23）が再生される。
【００６０】
図６（Ｂ）は、第２室内ユニット（U2）で除湿運転の吸湿動作を行い、第１室内ユニット（U1）で放湿動作を行う状態を示している。第２室内ユニット（U2）では、冷却加熱モジュール（20）の第１熱歪部材（21a）への引張力が解除される。したがって、第２室内ユニット（U2）の冷却加熱モジュール（20）が吸熱し、ケーシング（10）内に取り込まれた室内空気（RA）中の水分が吸着される。そして、水分が吸着されて減湿された空気が供給空気（SA）として室内（3）へ供給される。
【００６１】
一方、第１室内ユニット（U1）では、室外空気（OA）をケーシング（10）に取り入れて処理した後に排出する方向へファン（30）が回転し、同時に冷却加熱モジュール（20）の第１熱歪部材（21a）に引張力が付与される。したがって、吸着層（23）に含まれている水分が空気に与えられて、排出空気（EA）として室外へ放出され、冷却加熱モジュール（20）の吸着層（23）が再生される。
【００６２】
このように、実施形態１の変形例１によれば、いずれか一方の室内ユニット（U1，U2）で空気を減湿して、その空気を室内（3）へ供給するときに、他方の室内ユニット（U2，U1）では吸着層（23）を再生する図６（Ａ）の運転と図６（Ｂ）の運転を交互に切り換えることにより、除湿運転を連続して行うことができる。
【００６３】
また、図６（Ｃ）は、第１室内ユニット（U1）で冷房運転の冷却動作を行い、第２室内ユニット（U2）で加熱動作を行う状態を示している。第１室内ユニット（U1）では、冷却加熱モジュール（20）の第２熱歪部材（21b）への引張力が解除される。したがって、第１室内ユニット（U1）の冷却加熱モジュール（20）が吸熱し、ケーシング（10）に取り込まれた室内空気（RA）が冷却される。そして、冷却された空気が供給空気（SA）として室内（3）へ供給される。
【００６４】
一方、第２室内ユニット（U2）では、室外空気（OA）をケーシング（10）に取り入れて処理した後に排出する方向へファン（30）が回転し、同時に冷却加熱モジュール（20）の第２熱歪部材（21b）に引張力が付与される。したがって、冷却加熱モジュール（20）の熱を室外空気（OA）が奪い、排出空気（EA）として室外へ放出される。
【００６５】
図６（Ｄ）は、第２室内ユニット（U2）で冷房運転の冷却動作を行い、第１室内ユニット（U1）で加熱動作を行う状態を示している。第２室内ユニット（U2）では、冷却加熱モジュール（20）の第２熱歪部材（21b）への引張力が解除される。したがって、第２室内ユニット（U2）の冷却加熱モジュール（20）が吸熱し、ケーシング（10）に取り込まれた室内空気（RA）が冷却される。そして、冷却された空気が供給空気（SA）として室内（3）へ供給される。
【００６６】
一方、第１室内ユニット（U1）では、室外空気（OA）をケーシング（10）に取り入れて処理した後に排出する方向へファン（30）が回転し、同時に冷却加熱モジュール（20）の第２熱歪部材（21b）に引張力が付与される。したがって、冷却加熱モジュール（20）の熱を室外空気（OA）が奪い、排出空気（EA）として室外へ放出される。
【００６７】
このように、実施形態１の変形例１によれば、いずれか一方の室内ユニット（U1，U2）で空気を冷却して、その空気を室内（3）へ供給するときに、他方の室内ユニット（U2，U1）では室外へ熱を排出する図６（Ｃ）の運転と図６（Ｄ）の運転を交互に切り換えることにより、冷房運転を連続して行うことができる。
【００６８】
（変形例２）
図７に示す変形例２は、２つの室内ユニット（U1，U2）を空調対象の室内（3）に設置するように構成している点は図６の装置（1）と共通している。図６の変形例１と異なる点は、第１室内ユニット（U1）と第２室内ユニット（U2）の両方を、図の右側の壁面に設置した点である。各室内ユニット（U1，U2）の構成は、図１及び図６の空気調和装置（1）と同じである。
【００６９】
この実施形態１の変形例２によれば、実施形態１の変形例１と同様に、いずれか一方の室内ユニット（U1，U2）で空気を減湿して、その空気を室内（3）へ供給するときに、他方の室内ユニット（U2，U1）では吸着層（23）を再生する図７（Ａ）の運転と図７（Ｂ）の運転を交互に切り換えることにより、除湿運転を連続して行うことができる。
【００７０】
また、この実施形態１の変形例２によれば、実施形態１の変形例１と同様に、いずれか一方の室内ユニット（U1，U2）で空気を冷却して、その空気を室内（3）へ供給するときに、他方の室内ユニット（U2，U1）では室外へ熱を排出する図７（Ｃ）の運転と図７（Ｄ）の運転を交互に切り換えることにより、冷房運転を連続して行うことができる。
【００７１】
（変形例３）
図８に示す変形例３は、空気調和装置（1）のケーシング（10）内に２つの冷却加熱モジュール（20）を設け、一方の冷却加熱モジュール（20）（第１冷却加熱モジュール（20a））を通過した空気を室内（3）に供給して他方の冷却加熱モジュール（20）（第２冷却加熱モジュール（20b））を通過した空気を室外へ放出する第１運転動作と、第２冷却加熱モジュール（20b）を通過した空気を室内（3）に供給して第１冷却加熱モジュール（20a）を通過した空気を室外へ放出する第２運転動作とを切り換えるように構成したものである。
【００７２】
空気調和装置（1）は、具体的には図９〜図１２に示すように構成されている。この空気調和装置（1）は、２つの冷却加熱モジュール（20a，20b）と２つのファン（30a，30b）を１つのケーシング（10）内に収納した一体型の構成で、天井裏に設置されている。図９は、第１冷却加熱モジュール（20a）を吸湿側にして第２冷却加熱モジュール（20b）を放湿側にする除湿運転の第１運転動作を示し、図１０は、第２冷却加熱モジュール（20b）を吸湿側にして第１冷却加熱モジュール（20a）を放湿側にする除湿運転の第２運転動作を示している。図１１は、第１冷却加熱モジュール（20a）を冷却側にして第２冷却加熱モジュール（20b）を加熱側にする冷房運転の第１運転動作を示し、図１２は、第２冷却加熱モジュール（20b）を冷却側にして第１冷却加熱モジュール（20a）を加熱側にする冷房運転の第２運転動作を示している。また、図９〜図１２において、それぞれ、（Ａ）図は平面構造図（装置を平面から見て内部構造を示す図）、（Ｂ）図は左側面構造図、（Ｃ）図は右側面構造図である。
【００７３】
この空気調和装置（1）のケーシング（10）は、四角い箱形に形成されている。このケーシング（10）の１つの側壁面には、室内空気（RA）をケーシング（10）内に取り入れる第１吸込口（11）と、室外空気（OA）をケーシング（10）内に取り入れる第２吸込口（12）が設けられている。また、上記各吸込口（11，12）が設けられている側壁面の左右の側壁面には、供給空気（SA）を室内（3）に供給する第１吹出口（13）と、排出空気（EA）を室外に排出する第２吹出口（14）が設けられている。これらの第１吸込口（11）、第２吸込口（12）、第１吹出口（13）及び第２吹出口（14）には、それぞれ図８に模式的に矢印で示すダクト（4a，4b，4c，4d）が接続されている。
【００７４】
上記ケーシング（10）内は、上記冷却加熱モジュール（20）が配置された冷却加熱室（C1，C2）と、ファン（30a，30b）が配置されたファン室（C3，C4）が設けられている。冷却加熱室（C1，C2）は、図９〜図１２においてケーシング（10）内の左右に隣り合って位置する第１冷却加熱室（C1）と第２冷却加熱室（C2）とから構成されている。上記ファン室（C3，C4）は、同じくケーシング（10）の左右に隣り合って位置する第１ファン室（C3）と第２ファン室（C4）とから構成されている。第１ファン室（C3）には給気ファン（30a）が配置され、第２ファン室（C4）には排気ファン（30b）が配置されている。
【００７５】
また、上記各吸込口（11，12）と冷却加熱室（C1，C2）の間には入口側通風室（C5，C6）が形成されている。入口側通風室（C5，C6）は、上記ケーシング（10）の上下２段に配置された第１入口側通風室（C5）と第２入口側通風室（C6）とから構成されている。第１入口側通風室（C5）には第１吸込口（11）が設けられ、第２入口側通風室（C6）には第２吸込口（12）が設けられている。各入口側通風室（C5，C6）と各冷却加熱室（C1，C2）との間には、開閉可能なダンパ（D1，D2，D3，D4）が１枚ずつ、合計４枚設けられている。
【００７６】
上記冷却加熱室（C1，C2）と上記ファン室（C3，C4）との間には出口側通風室（C7，C8）が形成されている。出口側通風室（C7，C8）は、上記ケーシング（10）の上下２段に配置された第１出口側通風室（C7）と第２出口側通風室（C8）とから構成されている。各冷却加熱室（C1，C2）と各出口側通風室（C7，C8）との間には、開閉可能なダンパ（D5，D6，D7，D8）が１枚ずつ、合計４枚設けられている。
【００７７】
各出口側通風室（C7，C8）は、上記各ファン室（C3，C4）と連通している。上記第１吹出口（13）はケーシング（10）の第１ファン室（C3）側に設けられ、上記第２吹出口（14）はケーシング（10）の第２ファン室（C4）側に設けられている。
【００７８】
以上の構成においては、第１運転動作のとき、第１ダンパ（D1）、第４ダンパ（D4）、第５ダンパ（D5）及び第８ダンパ（D8）が開かれ、第２ダンパ（D2）、第３ダンパ（D3）、第６ダンパ（D6）及び第７ダンパ（D7）は閉じられる。また、第２運転動作のとき、第２ダンパ（D2）、第３ダンパ（D3）、第６ダンパ（D6）及び第７ダンパ（D7）が開かれ、第１ダンパ（D1）、第４ダンパ（D4）、第５ダンパ（D5）及び第８ダンパ（D8）は閉じられる。
【００７９】
このようにダンパ（D1〜D8）の開閉状態を制御することにより、除湿運転の第１運転動作においては、図９に示すように、第１吸込口（11）からケーシング（10）内に導入された室内空気（RA）が、第１ダンパ（D1）、第１冷却加熱モジュール（20a）及び第５ダンパ（D5）を通って第１吹出口（13）から室内（3）へ供給されるとともに、第２吸込口（12）からケーシング（10）内に導入された室外空気（OA）が、第４ダンパ（D4）、第２冷却加熱モジュール（20b）及び第８ダンパ（D8）を通って第２吹出口（14）から室外へ排出される。また、第２運転動作においては、図１０に示すように、第１吸込口（11）からケーシング（10）内に導入された室内空気（RA）が、第３ダンパ（D3）、第２冷却加熱モジュール（20b）及び第７ダンパ（D7）を通って第１吹出口（13）から室内（3）へ供給されるとともに、第２吹出口（14）からケーシング（10）内に導入された室外空気（OA）が、第２ダンパ（D2）、第１冷却加熱モジュール（20a）及び第６ダンパ（D6）を通って第２吹出口（14）から室外へ排出される。
【００８０】
そして、この実施形態１の変形例３では、ダンパの開閉状態を切り換えることにより、図９の第１運転動作と図１０の第２運転動作が交互に繰り返される。
【００８１】
この空気調和装置（1）においては、室内（3）へ供給される空気が通過する冷却加熱モジュール（20）は、第１冷却加熱モジュール（20a）と第２冷却加熱モジュール（20b）のどちらに切り換わっても、吸湿動作が行われる方の冷却加熱モジュール（20）である。したがって、室内（3）へは、減湿された空気が連続して供給される。また、室外へ排出される空気が通過する冷却加熱モジュール（20）は、第２冷却加熱モジュール（20b）と第１冷却加熱モジュール（20a）のどちらに切り換わっても放湿動作が行われる方の冷却加熱モジュール（20）である。したがって、室外へ放出される空気が通過する冷却加熱モジュール（20）は、常に再生側となる。
【００８２】
このように、実施形態１の変形例３によれば、いずれか一方の冷却加熱モジュール（20a，20b）で空気を減湿して、その空気を室内（3）へ供給するときに、他方の冷却加熱モジュール（20b，20a）では吸着層（23）を再生する図９の運転と図１０の運転を交互に切り換えることにより、除湿運転を連続して行うことができる。
【００８３】
また、上記のようにダンパ（D1〜D8）の開閉状態を制御することにより、冷房運転の第１運転動作においては、図１１に示すように、第１吸込口（11）からケーシング（10）内に導入された室内空気（RA）が、第１ダンパ（D1）、第１冷却加熱モジュール（20a）及び第５ダンパ（D5）を通って第１吹出口（13）から室内（3）へ供給されるとともに、第２吸込口（12）からケーシング（10）内に導入された室外空気（OA）が、第４ダンパ（D4）、第２冷却加熱モジュール（20b）及び第８ダンパ（D8）を通って第２吹出口（14）から室外へ排出される。また、第２運転動作においては、図１２に示すように、第１吸込口（11）からケーシング（10）内に導入された室内空気（RA）が、第３ダンパ（D3）、第２冷却加熱モジュール（20b）及び第７ダンパ（D7）を通って第１吹出口（13）から室内（3）へ供給されるとともに、第２吹出口（14）からケーシング（10）内に導入された室外空気（OA）が、第２ダンパ（D2）、第１冷却加熱モジュール（20a）及び第６ダンパ（D6）を通って第２吹出口（14）から室外へ排出される。
【００８４】
そして、この実施形態１の変形例３では、ダンパの開閉状態を切り換えることにより、図１１の第１運転動作と図１２の第２運転動作が交互に繰り返される。
【００８５】
この空気調和装置（1）においては、室内（3）へ供給される空気が通過する冷却加熱モジュール（20）は、第１冷却加熱モジュール（20a）と第２冷却加熱モジュール（20b）のどちらに切り換わっても、冷却動作が行われる方の冷却加熱モジュール（20）である。したがって、室内（3）へは、冷却された空気が連続して供給される。また、室外へ排出される空気が通過する冷却加熱モジュール（20）は、第２冷却加熱モジュール（20b）と第１冷却加熱モジュール（20a）のどちらに切り換わっても加熱動作が行われる方の冷却加熱モジュール（20）である。したがって、室外へ放出される空気は冷却加熱モジュール（20）の熱を奪った空気である。
【００８６】
このように、実施形態１の変形例３によれば、いずれか一方の冷却加熱モジュール（20a，20b）で空気を冷却して、その空気を室内（3）へ供給するときに、他方の冷却加熱モジュール（20b，20a）から排出空気（EA）が熱を奪う図１１の運転と図１２の運転を交互に切り換えることにより、冷房運転を連続して行うことができる。
【００８７】
《発明の実施形態２》
本発明の実施形態２について説明する。
【００８８】
図１３に示す実施形態２は、図１に示す実施形態１の空気調和装置（1）を加湿暖房専用機として構成した例である。
【００８９】
この空気調和装置（1）は、図１の空気調和装置（1）と同様に、ケーシング（10）と、ケーシング（10）内に収納された冷却加熱モジュール（20）と、冷却加熱モジュール（20）に空気を流すファン（30）と、冷却加熱モジュール（20）に引張力を付与する切換制御部（35）とを備え、ケーシング（10）とその内部に設けられた機能部品により室内ユニット（U）が構成されている。また、ケーシング（10）内には、該ケーシング（10）内に導入された空気を冷却加熱モジュール（20）に通すための空気通路（P）が形成されている。
【００９０】
この実施形態２の空気調和装置（1）は、上記冷却加熱モジュール（20）で放湿処理した空気を空気通路（P）により室内（3）に導入することにより、加湿運転を行うことができるようになっている点、上記冷却加熱モジュール（20）で加熱処理した空気を空気通路（P）から室内（3）に導入することにより、暖房運転を行うことができるようになっている点が図１の空気調和装置（1）と異なっている。そして、上記切換制御部（35）は、加湿運転時には、第１及び第２熱歪部材（21a，21b）のうち第１熱歪部材（21a）のみに対して引張力の付与と解除を切り換える一方、暖房運転時には、第２熱歪部材（21b）のみに対して引張力の付与と解除を切り換える。
【００９１】
この空気調和装置（1）では、図１３（Ａ）の加湿運転の放湿動作において、図４（Ａ）に示すように、それまで冷却されていた冷却加熱モジュール（20）の第１熱歪部材（21a）に引張力が付与される。そうすると、冷却加熱モジュール（20）が放熱し、吸着層（23）が加熱される。吸着層（23）が加熱されると、吸着層（23）に含まれていた水分が室内空気（RA）に放出される。したがって、加湿された空気が供給空気（SA）として室内（3）に供給される。
【００９２】
一方、図１３（Ｂ）の吸湿動作においては、ファン（30）の回転方向が切り換えられ、室外空気（OA）がケーシング（10）に取り込まれるとともに冷却加熱モジュール（20）で処理されてから排出空気（EA）として室外へ放出される。このとき、図４（Ｂ）に示すように、冷却加熱モジュール（20）の第１熱歪部材（21a）への引張力が解除される。そうすると、冷却加熱モジュール（20）が吸熱し、吸着層（23）が冷却される。吸着層（23）が冷却されると、空気中の水分が吸着層（23）に吸着される。そして、水分が吸着されて減湿された空気が排出空気（EA）として室外へ放出される。このとき、第１熱歪部材（21a）が吸熱するため、吸着熱で吸着層（23）が発熱するのが抑えられる。したがって、吸着性能が低下せずに吸湿動作が行われる。
【００９３】
このように、この実施形態２によれば、図１３（Ａ）の放湿動作と図１３（Ｂ）の吸湿動作を交互に繰り返すことにより、間欠加湿運転を行うことができる。
【００９４】
また、この空気調和装置（1）では、図１３（Ｃ）の暖房運転の加熱動作において、図５（Ａ）に示すように、それまで冷却されていた冷却加熱モジュール（20）の第２熱歪部材（21b）に引張力が付与される。そうすると、第２熱歪部材（21b）が加熱され、冷却加熱モジュール（20）が放熱する。したがって、冷却加熱モジュール（20）を通過して加熱された空気が供給空気（SA）として室内（3）に供給される。
【００９５】
一方、図１３（Ｂ）の冷却動作においては、室外空気（OA）をケーシング（10）に取り入れて処理した後に排出する方向へファン（30）が回転し、図５（Ｂ）に示すように、同時に冷却加熱モジュール（20）の第２熱歪部材（21b）への引張力が解除される。したがって、冷却加熱モジュール（20）に室外空気（OA）が熱を与え、排出空気（EA）として室外へ放出される。
【００９６】
このように、この実施形態２によれば、図１３（Ｃ）の加熱動作と図１３（Ｂ）の冷却動作を交互に繰り返すことにより、間欠暖房運転を行うことができる。
【００９７】
−実施形態２の変形例−
（変形例１）
図１４に示す実施形態２の変形例１は、図６の空気調和装置（1）を加湿暖房専用機として構成した例である。部屋の対向する壁面の一方（図の右側の壁面）に第１室内ユニット（U1）が設置され、壁面の他方（図の左側の壁面）に第２室内ユニット（U2）が設置されている構成は、図６の空気調和装置（1）と同じである。また、各室内ユニット（U1，U2）の構成は図１３の実施形態２と同じである。
【００９８】
図１４（Ａ）は、第１室内ユニット（U1）で加湿運転の放湿動作を行い、第２室内ユニット（U2）で吸湿動作を行う状態を示している。第１室内ユニット（U1）では、冷却加熱モジュール（20）の第１熱歪部材（21a）へ引張力が付与される。したがって、第１室内ユニット（U1）の冷却加熱モジュール（20）が放熱し、ケーシング（10）に取り込まれた室内空気（RA）に水分が与えられる。そして、水分が与えられて加湿された空気が供給空気（SA）として室内（3）へ供給される。
【００９９】
一方、第２室内ユニット（U2）では、室外空気（OA）をケーシング（10）に取り入れて処理した後に排出する方向へファン（30）が回転し、同時に冷却加熱モジュール（20）の第１熱歪部材（21a）への引張力が解除される。したがって、空気中の水分が吸着層（23）に吸着され、減湿された空気が排出空気（EA）として室外に放出される。
【０１００】
図１４（Ｂ）は、第２室内ユニット（U2）で加湿運転の放湿動作を行い、第１室内ユニット（U1）で吸湿動作を行う状態を示している。第２室内ユニット（U2）では、冷却加熱モジュール（20）の第１熱歪部材（21a）に引張力が付与される。したがって、第２室内ユニット（U2）の冷却加熱モジュール（20）が放熱し、ケーシング（10）に取り込まれた室内空気（RA）に水分が与えられる。そして、水分が与えられて加湿された空気が供給空気（SA）として室内（3）へ供給される。
【０１０１】
一方、第１室内ユニット（U1）では、室外空気（OA）をケーシング（10）に取り入れて処理した後に排出する方向へファン（30）が回転し、同時に冷却加熱モジュール（20）の第１熱歪部材（21a）への引張力が解除される。したがって、空気中の水分が吸着層（23）に吸着され、減湿された空気が排出空気（EA）として室外に放出される。
【０１０２】
このように、この実施形態２の変形例１によれば、いずれか一方の室内ユニット（U1，U2）で空気を加湿して、その空気を室内（3）へ供給するときに、他方の室内ユニット（U2，U1）では吸湿動作を行う図１４（Ａ）の運転と図１４（Ｂ）の運転を交互に切り換えることにより、加湿運転を連続して行うことができる。
【０１０３】
また、図１４（Ｃ）は、第１室内ユニット（U1）で暖房運転の加熱動作を行い、第２室内ユニット（U2）で冷却動作を行う状態を示している。第１室内ユニット（U1）では、冷却加熱モジュール（20）の第２熱歪部材（21b）に引張力が付与される。したがって、第１室内ユニット（U1）の冷却加熱モジュール（20）が放熱し、ケーシング（10）に取り込まれた室内空気（RA）が加熱される。そして、加熱された空気が供給空気（SA）として室内（3）へ供給される。
【０１０４】
一方、第２室内ユニット（U2）では、室外空気（OA）をケーシング（10）に取り入れて処理した後に排出する方向へファン（30）が回転し、同時に冷却加熱モジュール（20）の第２熱歪部材（21b）への引張力が解除される。したがって、室外空気（OA）が冷却加熱モジュール（20）に熱を奪われ、排出空気（EA）として室外に放出される。
【０１０５】
図１４（Ｄ）は、第２室内ユニット（U2）で暖房運転の加熱動作を行い、第１室内ユニット（U1）で冷却動作を行う状態を示している。第２室内ユニット（U2）では、冷却加熱モジュール（20）の第２熱歪部材（21b）に引張力が付与される。したがって、第２室内ユニット（U2）の冷却加熱モジュール（20）が放熱し、ケーシング（10）に取り込まれた室内空気（RA）が加熱される。そして、加熱された空気が供給空気（SA）として室内（3）へ供給される。
【０１０６】
一方、第１室内ユニット（U1）では、室外空気（OA）をケーシング（10）に取り入れて処理した後に排出する方向へファン（30）が回転し、同時に冷却加熱モジュール（20）の第２熱歪部材（21b）への引張力が解除される。したがって、室外空気（OA）が冷却加熱モジュール（20）に熱を奪われ、排出空気（EA）として室外に放出される。
【０１０７】
このように、この実施形態２の変形例１によれば、いずれか一方の室内ユニット（U1，U2）で空気を加熱して、その空気を室内（3）へ供給するときに、他方の室内ユニット（U2，U1）では冷却動作を行う図１４（Ｃ）の運転と図１４（Ｄ）の運転を交互に切り換えることにより、暖房運転を連続して行うことができる。
【０１０８】
（変形例２）
図１５に示す実施形態２の変形例２は、２つの室内ユニット（U1，U2）を空調対象の室内（3）に設置するように構成したものであり、図７に示す実施形態１の変形例２の空気調和装置（1）を加湿暖房専用機として構成した例である。この変形例では、第１室内ユニット（U1）と第２室内ユニット（U2）の両方が、図の右側の壁面に設置されている。
【０１０９】
この実施形態２の変形例２によれば、実施形態２の変形例１と同様に、いずれか一方の室内ユニット（U1，U2）で空気を加湿して、その空気を室内（3）へ供給するときに、他方の室内ユニット（U2，U1）では吸湿動作を行う図１５（Ａ）の運転と図１５（Ｂ）の運転を交互に切り換えることにより、加湿運転を連続して行うことができる。
【０１１０】
また、この実施形態２の変形例２によれば、実施形態２の変形例１と同様に、いずれか一方の室内ユニット（U1，U2）で空気を加熱して、その空気を室内（3）へ供給するときに、他方の室内ユニット（U2，U1）では冷却動作を行う図１５（Ｃ）の運転と図１５（Ｄ）の運転を交互に切り換えることにより、暖房運転を連続して行うことができる。
【０１１１】
（変形例３）
図１６に示す実施形態２の変形例３は、図８〜図１２に示す実施形態１の変形例３の空気調和装置（1）を加湿暖房専用機として構成した例である。この空気調和装置（1）は、具体的には、図８〜図１２と同様に、ケーシング（10）内に２つの冷却加熱モジュール（20a，20b）を設け、一方の冷却加熱モジュール（20）（第１冷却加熱モジュール（20a））を通過した空気を室内（3）に供給して他方の冷却加熱モジュール（20）（第２冷却加熱モジュール（20b））を通過した空気を室外へ放出する第１運転動作と、第２冷却加熱モジュール（20b）を通過した空気を室内（3）に供給して第１冷却加熱モジュール（20a）を通過した空気を室外へ放出する第２運転動作とを切り換えるように構成されている。
【０１１２】
空気調和装置（1）は、具体的には図１７〜図２０に示すように構成されている。この空気調和装置（1）は、２つの冷却加熱モジュール（20a，20b）と２つのファン（30a，30b）を１つのケーシング（10）内に収納した一体型の構成で、天井裏に設置されている。図１７は、第１冷却加熱モジュール（20a）を放湿側にして第２冷却加熱モジュール（20b）を吸湿側にする加湿運転の第１運転動作を示し、図１８は、第２冷却加熱モジュール（20b）を放湿側にして第１冷却加熱モジュール（20a）を吸湿側にする加湿運転の第２運転動作を示している。図１９は、第１冷却加熱モジュール（20a）を加熱側にして第２冷却加熱モジュール（20b）を冷却側にする暖房運転の第１運転動作を示し、図２０は、第２冷却加熱モジュール（20b）を加熱側にして第１冷却加熱モジュール（20a）を冷却側にする暖房運転の第２運転動作を示している。また、図１７〜図２０において、それぞれ、（Ａ）図は平面構造図（装置を平面から見て内部構造を示す図）、（Ｂ）図は左側面構造図、（Ｃ）図は右側面構造図である。
【０１１３】
その他、装置の基本的な構成は図８〜図１２と同様であるため、具体的な説明は省略する。
【０１１４】
この構成においては、第１運転動作のとき、第１ダンパ（D1）、第４ダンパ（D4）、第５ダンパ（D5）及び第８ダンパ（D8）が開かれ、第２ダンパ（D2）、第３ダンパ（D3）、第６ダンパ（D6）及び第７ダンパ（D7）は閉じられる。また、第２運転動作のとき、第２ダンパ（D2）、第３ダンパ（D3）、第６ダンパ（D6）及び第７ダンパ（D7）が開かれ、第１ダンパ（D1）、第４ダンパ（D4）、第５ダンパ（D5）及び第８ダンパ（D8）は閉じられる。
【０１１５】
このようにダンパ（D1〜D8）の開閉状態を制御することにより、加湿運転の第１運転動作においては、図１７に示すように、第１吸込口（11）からケーシング（10）内に導入された室内空気（RA）が、第１ダンパ（D1）、第１冷却加熱モジュール（20a）及び第５ダンパ（D5）を通って第１吹出口（13）から室内（3）へ供給されるとともに、第２吸込口（12）からケーシング（10）内に導入された室外空気（OA）が、第４ダンパ（D4）、第２冷却加熱モジュール（20b）及び第８ダンパ（D8）を通って第２吹出口（14）から室外へ排出される。また、第２運転動作においては、図１８に示すように、第１吸込口（11）からケーシング（10）内に導入された室内空気（RA）が、第３ダンパ（D3）、第２冷却加熱モジュール（20b）及び第７ダンパ（D7）を通って第１吹出口（13）から室内（3）へ供給されるとともに、第２吹出口（14）からケーシング（10）内に導入された室外空気（OA）が、第２ダンパ（D2）、第１冷却加熱モジュール（20a）及び第６ダンパ（D6）を通って第２吹出口（14）から室外へ排出される。
【０１１６】
そして、この実施形態２の変形例３では、ダンパの開閉状態を切り換えることにより、図１７の第１運転動作と図１８の第２運転動作が交互に繰り返される。
【０１１７】
この空気調和装置（1）においては、室内（3）へ供給される空気が通過する冷却加熱モジュール（20）は、第１冷却加熱モジュール（20a）と第２冷却加熱モジュール（20b）のどちらに切り換わっても、放湿動作が行われる方の冷却加熱モジュール（20）である。したがって、室内（3）へは、加湿された空気が連続して供給される。また、室外へ排出される空気が通過する冷却加熱モジュール（20）は、第２冷却加熱モジュール（20b）と第１冷却加熱モジュール（20a）のどちらに切り換わっても吸湿動作が行われる方の冷却加熱モジュール（20）である。したがって、室外へ放出される空気が通過する冷却加熱モジュール（20）は、常に吸着側となる。
【０１１８】
このように、実施形態２の変形例３によれば、いずれか一方の冷却加熱モジュール（20a，20b）で空気を加湿して、その空気を室内（3）へ供給するときに、他方の冷却加熱モジュール（20b，20a）では吸着層（23）で空気中の水分を吸着する図１７の運転と図１８の運転を交互に切り換えることにより、加湿運転を連続して行うことができる。
【０１１９】
また、上記のようにダンパ（D1〜D8）の開閉状態を制御することにより、暖房運転の第１運転動作においては、図１９に示すように、第１吸込口（11）からケーシング（10）内に導入された室内空気（RA）が、第１ダンパ（D1）、第１冷却加熱モジュール（20a）及び第５ダンパ（D5）を通って第１吹出口（13）から室内（3）へ供給されるとともに、第２吸込口（12）からケーシング（10）内に導入された室外空気（OA）が、第４ダンパ（D4）、第２冷却加熱モジュール（20b）及び第８ダンパ（D8）を通って第２吹出口（14）から室外へ排出される。また、第２運転動作においては、図２０に示すように、第１吸込口（11）からケーシング（10）内に導入された室内空気（RA）が、第３ダンパ（D3）、第２冷却加熱モジュール（20b）及び第７ダンパ（D7）を通って第１吹出口（13）から室内（3）へ供給されるとともに、第２吹出口（14）からケーシング（10）内に導入された室外空気（OA）が、第２ダンパ（D2）、第１冷却加熱モジュール（20a）及び第６ダンパ（D6）を通って第２吹出口（14）から室外へ排出される。
【０１２０】
そして、この実施形態２の変形例３では、ダンパの開閉状態を切り換えることにより、図１９の第１運転動作と図２０の第２運転動作が交互に繰り返される。
【０１２１】
この空気調和装置（1）においては、室内（3）へ供給される空気が通過する冷却加熱モジュール（20）は、第１冷却加熱モジュール（20a）と第２冷却加熱モジュール（20b）のどちらに切り換わっても、加熱動作が行われる方の冷却加熱モジュール（20）である。したがって、室内（3）へは、加熱された空気が連続して供給される。また、室外へ排出される空気が通過する冷却加熱モジュール（20）は、第２冷却加熱モジュール（20b）と第１冷却加熱モジュール（20a）のどちらに切り換わっても冷却動作が行われる方の冷却加熱モジュール（20）である。したがって、室外へ放出される空気は、冷却加熱モジュール（20）に熱を奪われた空気である。
【０１２２】
このように、実施形態２の変形例３によれば、いずれか一方の冷却加熱モジュール（20a，20b）で空気を加熱して、その空気を室内（3）へ供給するときに、他方の冷却加熱モジュール（20b，20a）に熱を与える図１９の運転と図２０の運転を交互に切り換えることにより、暖房運転を連続して行うことができる。
【０１２３】
《発明の実施形態４》
本発明の実施形態４について説明する。
【０１２４】
この実施形態４の空気調和装置（1）は、図１及び図１３に示す空気調和装置（1）において、冷却加熱モジュール（20）で吸湿処理した空気を室内（3）に導入する除湿動作と、冷却加熱モジュール（20）で放湿処理した空気を室内（3）に導入する加湿動作と、冷却加熱モジュール（20）で冷却処理した空気を室内（3）に導入する冷却動作と、冷却加熱モジュール（20）で加熱処理した空気を室内（3）に導入する加熱動作とを切り換え可能に構成したものである。装置の基本的な構成は図１及び図１３と同様であるため、具体的な説明は省略する。
【０１２５】
例えば、図１の空気調和装置（1）において、ケーシング（10）に取り込まれた室内空気（RA）を処理するときに、図１（Ａ）に示すように冷却加熱モジュール（20）の第１熱歪部材（21a）への引張力を解除する運転と、図１３（Ａ）に示すように冷却加熱モジュール（20）の第１熱歪部材（21a）に引張力を付与する運転と、図１（Ｃ）に示すように冷却加熱モジュール（20）の第２熱歪部材（21b）への引張力を解除する運転と、図１３（Ｃ）に示すように冷却加熱モジュール（20）の第２熱歪部材（21b）に引張力を付与する運転とを切り換え可能に構成される。
【０１２６】
このように構成すれば、１つの冷却加熱モジュール（20）を備えた室内ユニット（U）を有する空気調和装置（1）において、室内（3）を間欠的に除湿する運転と、室内（3）を間欠的に加湿する運転と、室内（3）を間欠的に冷房する運転と、室内（3）を間欠的に暖房する運転とを切り換えて行うことが可能になる。
【０１２７】
−実施形態４の変形例−
（変形例１）
実施形態４の変形例１は、図６及び図１４の空気調和装置（1）において、引張力の付与状態を切り換えることにより、図６（Ａ），（Ｂ）の運転と図１４（Ａ），（Ｂ）の運転と図６（Ｃ），（Ｄ）の運転と図１４（Ｃ），（Ｄ）の運転を切り換え可能に構成したものである。装置の基本的な構成は図６及び図１４と同様であるため、具体的な説明は省略する。
【０１２８】
この空気調和装置（1）において、図６（Ａ），（Ｂ）の運転では、ケーシング（10）内に取り込まれた室内空気（RA）が通過する冷却加熱モジュール（20）の第１熱歪部材（21a）への引張力が解除され、ケーシング（10）内に取り込まれた室外空気（OA）が通過する冷却加熱モジュール（20）の第１熱歪部材（21a）へ引張力が付与される。また、図１４（Ａ），（Ｂ）の運転では、ケーシング（10）内に取り込まれた室内空気（RA）が通過する冷却加熱モジュール（20）の第１熱歪部材（21a）に引張力が付与され、ケーシング（10）内に取り込まれた室外空気（OA）が通過する冷却加熱モジュール（20）の第１熱歪部材（21a）への引張力が解除される。
【０１２９】
一方、図６（Ｃ），（Ｄ）の運転では、ケーシング（10）内に取り込まれた室内空気（RA）が通過する冷却加熱モジュール（20）の第２熱歪部材（21b）への引張力が解除され、ケーシング（10）内に取り込まれた室外空気（OA）が通過する冷却加熱モジュール（20）の第２熱歪部材（21b）へ引張力が付与される。また、図１４（Ｃ），（Ｄ）の運転では、ケーシング（10）内に取り込まれた室内空気（RA）が通過する冷却加熱モジュール（20）の第２熱歪部材（21b）に引張力が付与され、ケーシング（10）内に取り込まれた室外空気（OA）が通過する冷却加熱モジュール（20）の第２熱歪部材（21b）への引張力が解除される。
【０１３０】
このように構成すれば、２つの室内ユニット（U1，U2）を部屋の対向する壁面に設置した空気調和装置（1）において、室内（3）を連続的に除湿する運転と、室内（3）を連続的に加湿する運転と、室内（3）を連続的に冷房する運転と、室内（3）を連続的に暖房する運転とを切り換えて行うことが可能になる。
【０１３１】
（変形例２）
実施形態４の変形例１は、図７及び図１５の空気調和装置（1）において、引張力の付与状態を切り換えることにより、図７（Ａ），（Ｂ）の運転と図１５（Ａ），（Ｂ）の運転と図７（Ｃ），（Ｄ）の運転と図１５（Ｃ），（Ｄ）の運転を切り換え可能に構成したものである。装置の基本的な構成は図７及び図１５と同様であるため、具体的な説明は省略する。
【０１３２】
この空気調和装置（1）において、図７（Ａ），（Ｂ）の運転では、ケーシング（10）内に取り込まれた室内空気（RA）が通過する冷却加熱モジュール（20）の第１熱歪部材（21a）への引張力が解除され、ケーシング（10）内に取り込まれた室外空気（OA）が通過する冷却加熱モジュール（20）の第１熱歪部材（21a）へ引張力が付与される。また、図１５（Ａ），（Ｂ）の運転では、ケーシング（10）内に取り込まれた室内空気（RA）が通過する冷却加熱モジュール（20）の第１熱歪部材（21a）に引張力が付与され、ケーシング（10）内に取り込まれた室外空気（OA）が通過する冷却加熱モジュール（20）の第１熱歪部材（21a）への引張力が解除される。
【０１３３】
一方、図７（Ｃ），（Ｄ）の運転では、ケーシング（10）内に取り込まれた室内空気（RA）が通過する冷却加熱モジュール（20）の第２熱歪部材（21b）への引張力が解除され、ケーシング（10）内に取り込まれた室外空気（OA）が通過する冷却加熱モジュール（20）の第２熱歪部材（21b）へ引張力が付与される。また、図１５（Ｃ），（Ｄ）の運転では、ケーシング（10）内に取り込まれた室内空気（RA）が通過する冷却加熱モジュール（20）の第２熱歪部材（21b）に引張力が付与され、ケーシング（10）内に取り込まれた室外空気（OA）が通過する冷却加熱モジュール（20）の第２熱歪部材（21b）への引張力が解除される。
【０１３４】
このように構成すれば、２つの室内ユニット（U1，U2）を部屋の一方の壁面に設置した空気調和装置（1）において、室内（3）を連続的に除湿する運転と、室内（3）を連続的に加湿する運転と、室内（3）を連続的に冷房する運転と、室内（3）を連続的に暖房する運転とを切り換えて行うことが可能になる。
【０１３５】
（変形例３）
実施形態４の変形例３は、図８〜図１２及び図１６〜図２０の空気調和装置（1）において、引張力の付与状態を切り換えることにより、図９，図１０の運転と図１７，図１８の運転と図１１，図１２の運転と図１９，図２０の運転とを切り換え可能に構成したものである。装置の基本的な構成は図８〜図１２及び図１６〜図２０と同様であるため、具体的な説明は省略する。
【０１３６】
この空気調和装置（1）において、図９，図１０の運転では、ケーシング（10）内に取り込まれた室内空気（RA）が通過する冷却加熱モジュール（20a，20b）の第１熱歪部材（21a）への引張力が解除され、ケーシング（10）内に取り込まれた室外空気（OA）が通過する冷却加熱モジュール（20a，20b）の第１熱歪部材（21a）へ引張力が付与される。また、図１７，図１８の運転では、ケーシング（10）内に取り込まれた室内空気（RA）が通過する冷却加熱モジュール（20a，20b ）の第１熱歪部材（21a）に引張力が付与され、ケーシング（10）内に取り込まれた室外空気（OA）が通過する冷却加熱モジュール（20a，20b）の第１熱歪部材（21a）への引張力が解除される。
【０１３７】
一方、図１１，図１２の運転では、ケーシング（10）内に取り込まれた室内空気（RA）が通過する冷却加熱モジュール（20a，20b）の第２熱歪部材（21b）への引張力が解除され、ケーシング（10）内に取り込まれた室外空気（OA）が通過する冷却加熱モジュール（20a，20b）の第２熱歪部材（21b）へ引張力が付与される。また、図１９，図２０の運転では、ケーシング（10）内に取り込まれた室内空気（RA）が通過する冷却加熱モジュール（20a，20b）の第１熱歪部材（21a）に引張力が付与され、ケーシング（10）内に取り込まれた室外空気（OA）が通過する冷却加熱モジュール（20a，20b）の第１熱歪部材（21a）への引張力が解除される。
【０１３８】
このように構成すれば、２つの冷却加熱モジュール（20a，20b）を備えたケーシング（10）内で空気の流通経路を切り換え可能なユニットを用いた空気調和装置（1）において、室内（3）を連続的に除湿する運転と、室内（3）を連続的に加湿する運転と、室内（3）を連続的に冷房する運転と、室内（3）を連続的に暖房する運転とを切り換えて行うことが可能になる。
【０１３９】
《その他の実施形態》
上記実施形態については、以下のような構成としてもよい。
【０１４０】
上記実施形態に係る冷却加熱モジュール（20）において、図２１〜図２４に示すアクチュエータを用いて構成してもよい。
【０１４１】
図２１に係るアクチュエータは、ヒータ（111）とバイメタル（110）により構成されている。図２２に係るアクチュエータは、ピエゾ素子（112）により構成されている。図２３に係るアクチュエータは、駆動アーム（113）により構成されている。図２４に係るに係るアクチュエータは、ソレノイド（114）により構成されている。
【０１４２】
また、例えば、上記各実施形態においては、ケーシング（10）内に取り込んだ室内空気を冷却加熱モジュール（20）で処理して室内（3）に供給する一方、ケーシング（10）内に取り込んだ室外空気を冷却加熱モジュール（20）で処理して室外に排出する循環方式を採用しているが、ケーシング（10）内に取り込んだ室外空気を冷却加熱モジュール（20）で処理して室内（3）に供給する一方、ケーシング（10）内に取り込んだ室内空気を冷却加熱モジュール（20）で処理して室外に排出する換気方式を採用してもよい。
【０１４３】
また、上記各実施形態において説明している冷却加熱モジュール（20）の具体的な構成は、空気調和装置（1）の装置構成に応じて適宜変更してもよい。
【０１４４】
例えば、本発明に係る第１及び第２熱歪部材部を単数の熱歪部材（21a，21b）で構成してもよい。
【０１４５】
ここに、空調負荷においては、一般に、顕熱負荷が潜熱負荷よりも大きい。そこで、第２熱歪部材（21b）の総数を第１熱歪部材（21a）の総数よりも多くしたり（例えば、第２熱歪部材群（L2）の第２熱歪部材（21a，21b）の数を第１熱歪部材群（L1）の第１熱歪部材（21a）の数よりも多くする）、第２熱歪部材（21b）の太さを第１熱歪部材（21a）の太さよりも太くしたりすることにより、熱歪部材（21a，21b）に占める、吸着層を設けない第２熱歪部材（21b）の割合を大きくしてもよい。これによれば、顕熱負荷が潜熱負荷よりも大きい環境において、空気の顕熱処理と潜熱処理を確実に行うことができる。
【０１４６】
さらには、空気調和装置（1）の構成も、除湿運転や加湿運転、あるいは冷房運転や暖房運転を行える限りは適宜変更してもよい。
【０１４７】
また、上述した各実施形態の熱歪部材（21a，21b）は、引張力の付与により発熱し、引張力の解除により吸熱するように構成される。しかし、熱歪部材（21a，21b）は、圧縮力の付与により発熱し、圧縮力の解除により吸熱する構成であってもよい。
【０１４８】
なお、以上の実施形態は、本質的に好ましい例示であって、本発明、その適用物、あるいはその用途の範囲を制限することを意図するものではない。
【産業上の利用可能性】
【０１４９】
以上説明したように、本発明は、冷却加熱ユニット及び空気調和装置について有用である。
【符号の説明】
【０１５０】
１      空気調和装置 
３      室内 
５      冷却加熱ユニット 
２０    冷却加熱モジュール 
２１ａ  第１熱歪部材 
２１ｂ  第２熱歪部材 
２２    アクチュエータ 
２３    吸着層 
３５    切換制御部 
Ｌ１    第１熱歪部材群（第１熱歪部材部） 
Ｌ２    第２熱歪部材群（第２熱歪部材部）
【図１】
2014178092.tif 000003
【図２】
2014178092.tif 000004
【図３】
2014178092.tif 000005
【図４】
2014178092.tif 000006
【図５】
2014178092.tif 000007
【図６】
2014178092.tif 000008
【図７】
2014178092.tif 000009
【図８】
2014178092.tif 000010
【図９】
2014178092.tif 000011
【図１０】
2014178092.tif 000012
【図１１】
2014178092.tif 000013
【図１２】
2014178092.tif 000014
【図１３】
2014178092.tif 000015
【図１４】
2014178092.tif 000016
【図１５】
2014178092.tif 000017
【図１６】
2014178092.tif 000018
【図１７】
2014178092.tif 000019
【図１８】
2014178092.tif 000020
【図１９】
2014178092.tif 000021
【図２０】
2014178092.tif 000022
【図２１】
2014178092.tif 000023
【図２２】
2014178092.tif 000024
【図２３】
2014178092.tif 000025
【図２４】
2014178092.tif 000026